(57)【特許請求の範囲】
【請求項１】
廊下に接して設けられる居室の収納構造であって、
前記居室は、前記廊下に面する第１開口部を有する主室空間と、前記廊下に面する第２開口部を有する納戸空間と、前記主室空間と前記納戸空間との間の収納空間とを備え、
前記収納空間と前記主室空間とは、透光性を有する第１建具によって区画され、
前記収納空間と前記納戸空間とは、遮光性を有する第２建具によって区画されていることを特徴とする居室の収納構造。
【請求項２】
前記主室空間の天井には、前記第１建具または前記第２建具を平行に移設して取り付けられるよう建具取付部が設けられていることを特徴とする請求項１記載の居室の収納構造。
【請求項３】
前記第１建具と前記第２建具は互いに対向して配置されており、
前記収納空間には、前記第１建具及び前記第２建具に平行な方向において、着脱可能なパイプが二列に並設され、
前記パイプは、前記収納空間の天井に着脱自在に固定された複数のポールによって支持されていることを特徴とする請求項１または請求項２記載の居室の収納構造。
【請求項４】
前記建具取付部は、前記第１開口部よりも前記納戸空間側の位置に設けられていることを特徴とする請求項２記載の居室の収納構造。
【発明の詳細な説明】
【技術分野】
【０００１】
本発明は、居室の収納構造に関する。
【背景技術】
【０００２】
従来、住宅に設けられる収納構造として、クローゼット（納戸）を備えた構造が知られている。クローゼットの収納空間には、衣類、調度類、家具、および寝具などといった様々なものが収納・保管される。クローゼットの収納空間に収納されるものの中には、例えば衣類や装身具など、複数の家族員が共用するものも多く含まれる。
【０００３】
ところで、このようなクローゼットは、居室に付随して設けられ、居室に面する出入口を１つだけ備えている場合が多い。そのため、クローゼットにアクセスするには、必ずその居室に入らなければならない。しかし、例えば居室が夫婦の寝室などであってプライバシーが重視される空間である場合、夫婦以外の家族員はその居室にむやみに入ることができず、その家族員にとってクローゼットへのアクセスが困難となる。その結果、共用のものがクローゼットの収納空間に収納されていても、その家族員は共用のものを出し入れできないといった問題が生じる。
【０００４】
このような問題に対処すべく、下記特許文献１には、リビングルームと廊下との間に配置されたクローゼットが開示されている。このクローゼットは、リビングルームとの間に出入口を備えると共に、廊下との間にも出入口を備えている。特許文献１に記載の構造では、家族員は廊下からクローゼットに直接アクセスできるので、共用のものを出し入れする際においても居室に入る必要がなくなっている。
【先行技術文献】
【特許文献】
【０００５】
【特許文献１】特開２００１−８７０５１号公報
【発明の概要】
【発明が解決しようとする課題】
【０００６】
しかしながら、上記特許文献１に記載の構造では、リビングルームと廊下との両方からクローゼットの収納空間にアクセスできるものの、収納されたものの出し入れに伴う行為、例えば着替え等が考慮されていない。例えば、廊下側にいる家族員がもし着替え等を行った場合には、リビングルーム側の家族員が収納空間にアクセスした途端、廊下側で着替えている家族員が不用意に見えてしまう等といった問題がある。このように、別々の空間からクローゼットの収納空間にアクセスできる場合において、収納空間の一方側にいる家族員と、収納空間の他方側にいる家族員との互いのプライバシーを確保することが難しかった。
【０００７】
本発明は、収納空間の一方側にいる家族員と、収納空間の他方側にいる家族員との互いのプライバシーを確保することができる居室の収納構造を提供することを目的とする。
【課題を解決するための手段】
【０００８】
本発明は、廊下に接して設けられる居室の収納構造であって、居室は、廊下に面する第１開口部を有する主室空間と、廊下に面する第２開口部を有する納戸空間と、主室空間と納戸空間との間の収納空間とを備え、収納空間と主室空間とは、透光性を有する第１建具によって区画され、収納空間と納戸空間とは、遮光性を有する第２建具によって区画されていることを特徴とする。
【０００９】
本発明に係る居室の収納構造によれば、主室空間を使用する第１家族員は、第１開口部を通って廊下から主室空間に入り、主室空間と収納空間とを区画する第１建具を開けることにより収納空間にアクセスできる。また、主室空間を使用しない第２家族員は、第２開口部を通って廊下から納戸空間に入り、納戸空間と収納空間とを区画する第２建具を開けることにより収納空間にアクセスできる。よって、第１家族員と第２家族員とが共用するものが収納空間に収納されている場合においても、第２家族員は、主室空間に入ることなく、そのものの出し入れを行うことができ、主室空間を使用する第１家族員のプライバシーが保たれる。ここで、第２建具は遮光性を有している。よって、納戸空間にいる第２家族員は、第２建具に隠れて着替え等を行うことができ、主室空間に第１家族員がいる場合であっても、第２家族員のプライバシーが保たれる。また、第１建具は透光性を有するため、第１建具が閉まった状態においても、第１家族員は、納戸空間にいる第２家族員の動きを察知することができる。第１家族員は、納戸空間で例えば着替え等を行っている第２家族員を不用意に見てしまうことのないよう配慮できるので、この観点からも第２家族員のプライバシーが保たれる。したがって、収納空間の一方側である主室空間にいる第１家族員と、収納空間の他方側である納戸空間にいる第２家族員との互いのプライバシーを確保することができる。さらに、第１建具が透光性を有するため、主室空間が明るくなる。また、第１建具を開けておき、第２建具を閉めた状態にすれば、収納空間に収納した衣類などへの通気を行いつつも、納戸空間にいる家族員のプライバシーを確保することができる。さらにまた、第１建具および第２建具を開けた状態にすれば、主室空間および納戸空間における通風・換気を行うこともできる。
【００１０】
また、主室空間の天井には、第１建具または第２建具を平行に移設して取り付けられるよう建具取付部が設けられていると好適である。この構成によれば、主室空間に設けられた建具取付部を用いて第１建具および第２建具を移設して取り付けることで、主室空間と納戸空間との間に収納空間を設けた状態で納戸空間の大きさを自在に調整することができる。
【００１１】
ここで、第１建具と第２建具は互いに対向して配置されており、収納空間には、第一建具及び第二建具に平行な方向において、着脱可能なパイプが二列に並設され、パイプは、収納空間の天井に着脱自在に固定された複数のポールによって支持されていると好適である。この構成によれば、収納空間に普段よく使う衣類などを収納することができると共に、納戸空間には普段あまり使わない衣類や装身具などを保管でき、収納物とその使用頻度によって収納する位置を分けることができる。
【００１２】
また、建具取付部は、第１開口部よりも納戸空間側の位置に設けられていると好適である。この構成によれば、第１建具および第２建具を移設した場合においても、主室空間の第１開口部は、これらの建具によって塞がれることなく、廊下に対する出入口の機能を維持する。よって、納戸空間を大きくすることにより、納戸空間を１つの部屋として利用することができると共に、収納空間を納戸空間と主室空間との共用の収納部として使用することができる。したがって、入居者のライフステージの変化に柔軟に対応することができる。
【発明の効果】
【００１３】
本発明によれば、収納空間の一方側にいる家族員と、収納空間の他方側にいる家族員との互いのプライバシーを確保することができる。
【図面の簡単な説明】
【００１４】
【図１】本発明の第１実施形態に係る居室の収納構造を示す平面図である。
【図２】第１建具を主室空間側から見た正面図である。
【図３】第２建具を納戸空間側から見た正面図である。
【図４】収納空間に設置されたパイプの斜視図である。
【図５】（ａ）〜（ｄ）は、図１の収納構造の使用態様を示す平面図である。
【図６】第１建具および第２建具を移設した場合の収納構造を示す平面図である。
【図７】第２実施形態に係る居室の収納構造を示す平面図である。
【発明を実施するための形態】
【００１５】
以下、本発明の実施形態について、図面を参照しながら説明する。なお、図面の説明において同一要素には同一符号を付し、重複する説明は省略する。
【００１６】
図１は、第１実施形態に係る居室の収納構造を示す平面図である。図１に示すように、収納構造１は、住宅内において、廊下２に接して設けられた居室３の収納構造である。本実施形態では、この住宅に住む家族は、例えば夫婦（すなわち父親および母親）と、その夫婦の子（すなわち娘や息子）とから構成される。居室３は、廊下２に沿って設けられた主室空間としての夫婦の寝室４と、廊下２に沿って設けられた納戸空間５と、寝室４および納戸空間５の間に設けられた収納空間６と、を備えている。すなわち、収納構造１は、廊下２と、寝室４と、納戸空間５と、収納空間６とを備えて構成されている。
【００１７】
寝室４は、夫婦の寝室として使用される部屋である。寝室４は、平面視で長方形状をなしており、廊下２との間の壁部１０、壁部１０に対向する壁部１１、および壁部１０，１１の一端部同士を連結する壁部１２から形成された平面視コ字状の壁体と、寝室４と収納空間６とを区画する建具２０とによって囲まれている。寝室４は、長辺壁である壁部１０の一部に形成された開口部（第１開口部）７を有している。開口部７は、廊下２に面しており、寝室４の出入口として用いられる。開口部７には、図示しないドア等が設けられる。短辺壁である壁部１２には、窓８ａが設けられている。長辺壁である壁部１１には、２つの窓８ｂ，８ｃが設けられている。窓８ａ，８ｂ，８ｃを介して、外気が寝室４内に流入可能になっている。寝室４には、２つのベッド９ａ，９ｂからなるツインベッド９が配置されている。
【００１８】
納戸空間５は、寝室４に隣り合って設けられている。納戸空間５は、例えば調度類や貴金属などの装身具を収納・保管するための空間であり、収納空間６にアクセスするための空間でもある。納戸空間５は、平面視で長方形状をなしており、廊下２との間の壁部１０、壁部１０に対向する壁部１１、および壁部１０，１１の一端部同士を連結する壁部１３から形成された平面視コ字状の壁体と、納戸空間５と収納空間６とを区画する建具２１とによって囲まれている。納戸空間５の床面積は、寝室４の床面積よりも小さい。納戸空間５は、長辺壁である壁部１０の一部に形成された開口部（第２開口部）１４を有している。開口部１４は、廊下２に面しており、納戸空間５の出入口として用いられる。開口部１４には、図示しないドア等が設けられる。長辺壁である壁部１１には、窓１５が設けられている。窓１５を介して、外気が納戸空間５内に流入可能になっている。
【００１９】
収納空間６は、寝室４および納戸空間５の間に設けられて、寝室４と納戸空間５とを区画している。収納空間６は、例えば衣類などを収納・保管するための空間である。収納空間６は、平面視で長方形状をなしており、一方側の長辺が寝室４に面すると共に、他方側の長辺が納戸空間５に面している。収納空間６の一対の短辺壁は、前述した壁部１０，１１の一部により構成される。
【００２０】
図１および図２に示すように、収納空間６と寝室４との間には、天地丈の建具（第１建具）２０が設置されている。すなわち建具２０は、収納空間６の寝室４側に設けられて、収納空間６と寝室４とを仕切って（区画して）いる。建具２０は、４枚の引き戸２０ａ〜２０ｄからなり、天井および床には、引き戸２０ａ〜２０ｄの上端部および下端部が摺動するレール２２ａ，２２ｂが固定されている。建具２０は、レール２２ａ，２２ｂに対して着脱可能に取り付けられた着脱式の引き戸建具である。
【００２１】
ここで、引き戸２０ａ〜２０ｄは、例えば乳白色のアクリル版など、透光性を有する部材によって構成されている。この透光性は、引き戸２０ａ〜２０ｄを隔てて反対側（寝室４側から見た場合の納戸空間５側）の気配や様子が窺える程度の光の透過性である。言い換えれば、引き戸２０ａ〜２０ｄは、半透明である。よって、建具２０が閉まった状態でも、引き戸２０ａ〜２０ｄの向こう側に家族員がいるか否かを視認できる。引き戸２０ａ〜２０ｄを構成する部材としては、ガラリ扉や擦りガラス等を用いることもでき、また、部分的に透明なガラスを用いることもできる。
【００２２】
図１および図３に示すように、収納空間６と納戸空間５との間には、天地丈の建具（第２建具）２１が設置されている。すなわち建具２１は、収納空間６の納戸空間５側に設けられて、収納空間６と納戸空間５とを仕切って（区画して）いる。建具２１は、４枚の引き戸２１ａ〜２１ｄからなり、天井および床には、引き戸２１ａ〜２１ｄの上端部および下端部が摺動するレール２３ａ，２３ｂが固定されている。建具２１は、レール２３ａ，２３ｂに対して着脱可能に取り付けられた着脱式の引き戸建具である。
【００２３】
ここで、引き戸２１ａ〜２１ｄは、例えば不透明な板材など、遮光性を有する部材によって構成されている。引き戸２１ａ〜２１ｄが光の透過性を有しないため、引き戸２１ａ〜２１ｄを隔てて反対側（納戸空間５側から見た場合の寝室４側）の様子は見えないようになっている。外引き戸である引き戸２１ｂ，２１ｃには、例えばベルト等を掛け置きできるバー２８がそれぞれ２本ずつ固定されている。内引き戸である引き戸２１ａ，２１ｄには、等身大のミラー２９が各１枚ずつ固定されている。バー２８およびミラー２９は納戸空間５に面して設けられており、納戸空間５における着替え等が行いやすくなっている。
【００２４】
寝室４および納戸空間５に誰も居らず、寝室４や納戸空間５で誰も着替えを行っていないような通常の状態、すなわち収納空間６に誰もアクセスしていない状態では、図１に示すように、建具２０は閉められており、建具２１は開けられている。
【００２５】
図１および図４に示すように、収納空間６には、ハンガー３３等の吊下げ物を掛けるパイプ２４が着脱可能に設置されている。このパイプ２４は、室内物干しに用いられるハンガーパイプと同様の構成を有している。具体的には、パイプ２４は、天井３０に固定された略円板状の複数の取付部３１と、取付部３１に基端が固定されて垂下する複数のポール３２とによって支持されている。パイプ２４は、収納空間６の奥行き方向において２列に並設されると共に、上下２段構成となっている。パイプ２４は、長尺の上パイプ２４ａと短尺の下パイプ２４ｂとによって構成されている。パイプ２４ａ，２４ｂのそれぞれは、ポール３２の途中および先端に設けられたリングに挿入されて、ポール３２に懸架されている。ポール３２は、取付部３１に対して着脱可能である。なお、パイプ２４は、壁部１０，１１に固定された取付部に懸架される態様であってもよい。
【００２６】
このような収納空間６には、夫婦の衣類が収納されると共に、例えば母親と娘が衣類を共有する場合には、その衣類も収納される。共有の衣類は、母親が着る場合には寝室４側から出し入れされ、娘が着る場合には納戸空間５側から出し入れされる。また、例えば父親が寝室４側からワイシャツを出して着て、娘が納戸空間５側からワンピースを出して着るような使い方もできる。このような場合でも、収納構造１では、互いのプライバシーが保たれる。
【００２７】
収納空間６の床上には、歩行の妨げとなるような障害物は設置されていない。そして、建具２０ｂ，２０ｃ（図２参照）および引き戸２１ｂ，２１ｃ（図３参照）を左右両側に引き寄せる（開ける）ことにより、寝室４と納戸空間５とが収納空間６を介して連絡される。これにより、夫婦や子は、寝室４および納戸空間５を行き来することができる。このように、収納空間６は、寝室４と納戸空間５との間に設けられたウォークスルークローゼットとして機能する。
【００２８】
図１に戻り、寝室４の天井には、壁部１０から壁部１１まで延在する一対のレール２６，２７が固定されている。これらのレール２６，２７は、建具２０，２１を取り付けるための前述のレール２２ａ，２３ａと同じものである。これらのレール２６，２７は、図１に示す現状においては使用されないが、将来において間取りを変更するため、建具２０，２１が移設され取り付けられる建具取付部である。レール２６，２７は、窓８ｂと窓８ｃとの間において、壁部１０，１１の延在方向において互いに離間して配置されている。言い換えれば、レール２６，２７は、寝室４の開口部７よりも納戸空間５側の位置に設けられている。なお、現状における寝室４の利便性を考慮して、床にはレールを設けず、将来建具２０，２１の移設が必要となったときにレールを設けるようにする。
【００２９】
以上説明した本実施形態の居室３の収納構造１によれば、寝室４を使用する夫婦は、開口部７を通って廊下２から寝室４に入り、建具２０を開けることにより収納空間６にアクセスできる。また、寝室４を使用しない子は、開口部１４を通って廊下２から納戸空間５に入り、建具２１を開けることにより収納空間６にアクセスできる。よって、例えば母親と娘とが共用する衣類が収納空間６に収納されている場合においても、娘は、寝室４に入ることなく共用の衣類の出し入れを行うことができ、寝室４を使用する夫婦のプライバシーが保たれる。また、図５（ａ）に示すように、建具２１は遮光性を有するため、納戸空間５に例えば娘Ｂがいる場合、娘Ｂは建具２１を隠れ板として着替え等を行うことができ、寝室４に父親Ａがいる場合であっても、娘のプライバシーが保たれる。もちろん娘Ｂは、寝室４から納戸空間５側が完全に見えないようにするため、衣類を取り出した後は建具２１を閉めることができる。また、建具２０は透光性を有するため、父親Ａは、建具２０が閉まった状態においても収納空間６にいる娘Ｂの動きを建具２１の開閉（光や音など）等により察知することができ、収納空間６で例えば着替え等を行っている娘Ｂを不用意に見てしまうことのないよう配慮する。よって、この観点からも娘Ｂのプライバシーが保たれる。これとは逆に、娘Ｂは、建具２０が閉まった状態においても寝室４に父親Ａがいるか否かを視認することができ、寝室４にいる父親Ａに対して配慮する。よって、例えば父親Ａが寝室４で着替える場合であっても、結果として父親Ａのプライバシーが保たれる。したがって、収納空間６の一方側である寝室４にいる夫婦と、収納空間６の他方側である納戸空間５にいる子（娘Ｂなど）との互いのプライバシーが確保される。さらに、図１に示す通常の状態においては、建具２０が透光性を有するため、寝室４が明るくなる。また、図５（ｂ）に示すように、建具２０を開けておき、建具２１を閉めた状態にすれば、収納空間６に収納した衣類などへの通気を行いつつも、納戸空間５にいる家族員（子など）のプライバシーが確保される。さらにまた、図５（ｃ）に示すように、建具２０および建具２１を開けた状態にすれば、寝室４および納戸空間５における通風・換気を行うこともできる。また、衣類の出し入れといった作業も行いやすい。建具２０および建具２１を開けた状態にすることは、衣替えや梅雨の時期において特に効果的である。
【００３０】
また、収納空間６には、ハンガー３３を掛けるパイプ２４が着脱可能に設置されているため、収納空間６に普段よく使う衣類などを収納することができると共に、納戸空間５には普段あまり使わない衣類や装身具などを保管でき、収納物とその使用頻度によって収納する位置を分けることができる。
【００３１】
また、寝室４には、建具２０および建具２１を取り付けるためのレール２６，２７が設けられているため、レール２６，２７を用いて建具２０および建具２１を移設して取り付けることで、寝室４と納戸空間５との間に収納空間６を設けた状態で納戸空間５の大きさを自在に調整することができる。例えば、図６に示すように、納戸空間５を大きくし、新たに寝室４０として利用することもできる。
【００３２】
また、図１および図６に示すように、レール２６，２７は、開口部７よりも納戸空間５側の位置に設けられているため、建具２０および建具２１を移設した場合においても、開口部７は、これらの建具２０，２１によって塞がれることなく、廊下２に対する出入口の機能を維持している。よって、納戸空間５を大きくすることにより、元の納戸空間５を１つの寝室４０として利用することができると共に、元の寝室４を一人用の寝室４１として引き続き利用することができ、収納空間４２を寝室４０と寝室４１との共用の収納部として使用することができる。したがって、入居者のライフステージの変化に柔軟に対応することができる。
【００３３】
また、収納空間６に設けられたパイプ２４およびポール３２は着脱式であるため、収納空間６の移設が容易であり、空間の用途に融通性を持たせている。また、建具２１にバー２８やミラー２９が取り付けられるため、クローゼット（納戸）としての機能が充実しており、使い勝手の向上が図られている。
【００３４】
また、図５（ｄ）に示すように、収納空間６はウォークスルークローゼットとして機能するため、父親Ａが収納空間６から衣類を取った後、納戸空間５で着替えて開口部１４から出て行ったり、納戸空間５から調度類を取って寝室４に戻ってきたりでき、収納空間６や納戸空間５にアクセスする目的に応じて自由な使い方ができる。この場合、ハンガー３３を左右に寄せることで、収納空間６を通りやすくなる。
【００３５】
図７は、第２実施形態に係る居室の収納構造を示す平面図である。図７に示す収納構造１Ａでは、居室５０は、夫婦の寝室５２と、寝室５２に隣り合って設けられた納戸空間５４と、寝室５２および納戸空間５４の間に設けられた収納空間５５と、開口部５９を介して納戸空間５４に連絡する子供室５３とを有している。また、廊下５１は、寝室５２および収納空間５５に沿って延びると共に、納戸空間５４に沿ってＬ字状に曲がっている。寝室５２は、廊下５１に面する開口部５６を有し、納戸空間５４は、廊下５１に面する２つの開口部５７，５８を有している。収納空間５５と寝室５２とは、透光性を有する建具６０によって区画され、収納空間５５と納戸空間５４とは、遮光性を有する建具６１によって区画されている。
【００３６】
収納構造１Ａによれば、収納構造１と同様にして、寝室５２にいる夫婦と、納戸空間５４にいる子との互いのプライバシーが確保される。収納構造１Ａでは、廊下５１から納戸空間５４に入ることができるばかりか、子は、開口部５９を介して子供室５３から直接納戸空間５４に入ることができる。
【００３７】
以上、本発明の実施形態について説明したが、本発明は上記実施形態に限られるものではない。例えば、上記実施形態では、建具２０，２１の上下にレールが設けられる場合について説明したが、これらの建具は、吊り戸や折り戸などであってもよい。また、建具２０，２１を移設する場合において、図６では２つの居室を寝室４０，４１として利用する場合について説明したが、いずれか一方を書斎もしくはドレッシングコーナーとして利用してもよい。さらには、第２実施形態において、納戸空間５４の開口部５７，５８，５９のうち、いずれか１つ又は２つのみを設ける構成であってもよい。上記実施形態では、パイプ２４にハンガー３３を掛ける場合について説明したが、パイプには、例えばＳ字フックや、ベルト掛け若しくはネクタイ掛け等の吊下げ物を掛けてもよい。
【符号の説明】
【００３８】
１，１Ａ…収納構造、２，５１…廊下、３，５０…居室、４，５２…寝室（主室空間）、５，５４…納戸空間、６，５５…収納空間、７，５６…開口部（第１開口部）、１４，５７，５８…開口部（第２開口部）、２０，６０…建具（第１建具）、２１，６１…建具（第２建具）、２４…パイプ、２６，２７…レール（建具取付部）、３３…ハンガー（吊下げ物）。
【図１】
0005898870.tif 000002
【図２】
0005898870.tif 000003
【図３】
0005898870.tif 000004
【図４】
0005898870.tif 000005
【図５】
0005898870.tif 000006
【図６】
0005898870.tif 000007
【図７】
0005898870.tif 000008